(57)【要約】【課題】  出力すべき原稿に関して最適なコントラストで二値化された画像情報を得るためのしきい値を設定するようにした画像処理装置と、その二値化処理プログラムを提供する。【解決手段】  画像読取部３００により生成された画像情報３１０を、しきい値設定部７００により設定された所定のしきい値７１０により二値化して出力する画像処理装置１０において、原稿の少なくとも一部領域の多階調画像情報を調整用画像情報８１０として表示する表示部２２０を設けて、上記表示部の表示を参照して上記しきい値設定部により再設定されたしきい値により、上記調整用画像情報の階調濃度を徐々に薄くなるように変化させて、上記表示部に表示させると共に、上記しきい値設定部によりしきい値が決定されたとき、そのしきい値に基づいて、上記画像情報を二値化して出力させる。【選択図】  図１
2006345457.tif 000002
【特許請求の範囲】
【請求項１】
原稿の画像情報を生成する画像読取部と、この画像読取部により生成された上記画像情報を所定のしきい値により二値化する画像処理部と、この画像処理部により二値化された出力用画像情報の出力を行なう画像出力部と、二値化の際のしきい値が設定されるしきい値設定部と、これら画像読取部，画像処理部，画像出力部およびしきい値設定部を制御する制御部と、を備えている画像処理装置において、
上記原稿の少なくとも一部領域の多階調画像情報を調整用画像情報として表示する表示部を備え、
上記制御部が、上記表示部の表示を参照して上記しきい値設定部により再設定されたしきい値に基づいて、上記調整用画像情報の階調濃度を徐々に薄くなるように変化させて、上記表示部に表示させると共に、上記しきい値設定部によりしきい値が決定されたとき、そのしきい値に基づいて、上記画像情報を、上記画像処理部により二値化して、上記画像出力部により出力させる
ことを特徴とする画像処理装置。
【請求項２】
上記調整用画像情報が、上記画像読取部により生成された画像情報である
ことを特徴とする請求項１に記載の画像処理装置。
【請求項３】
上記原稿の少なくとも一部領域に関する多階調画像情報を生成する第二の画像読取部を備えており、
上記調整用画像情報が、上記第二の画像読取部により生成された多階調画像情報である
ことを特徴とする請求項１に記載の画像処理装置。
【請求項４】
上記第二の画像読取部が、ＣＣＤカメラであることを特徴とする請求項３に記載の画像処理装置。
【請求項５】
上記第二の画像読取部により生成された多階調画像情報が、上記画像読取部により生成された画像情報より解像度が低い
ことを特徴とする請求項３または４に記載の画像処理装置。
【請求項６】
上記表示部が、画像処理装置の操作パネルに備えられていると共に、この操作パネルの操作部からの入力操作により上記しきい値設定部でのしきい値の設定が行なわれる
ことを特徴とする請求項１〜５のいずれかに記載の画像処理装置。
【請求項７】
上記表示部が、画像処理装置と接続されたホストＰＣの表示部であって、このホストＰＣにおける入力操作により、上記しきい値設定部でのしきい値の設定が行なわれる
ことを特徴とする請求項１〜５のいずれかに記載の画像処理装置。
【請求項８】
上記しきい値設定部が、上記ホストＰＣ上で動作する画像処理装置用ドライバに組み込まれている
ことを特徴とする請求項７に記載の画像処理装置。
【請求項９】
上記しきい値設定部にて、上記調整用画像情報におけるしきい値の基準となる位置が表示部の画面上で視認され得なくなったとき、しきい値が決定される
ことを特徴とする請求項１〜８のいずれかに記載の画像処理装置。
【請求項１０】
上記しきい値の基準となる位置が、原稿として使用される未記入用紙の地色部分である
ことを特徴とする請求項９に記載の画像処理装置。
【請求項１１】
上記しきい値の基準となる位置が、しきい値調整のための基準原稿の指定部分である
ことを特徴とする請求項９に記載の画像処理装置。
【請求項１２】
原稿の画像情報を生成する画像読取部と、この画像読取部により生成された上記画像情報を所定のしきい値により二値化する画像処理部と、この画像処理部により二値化された出力用画像情報の出力を行なう画像出力部と、二値化の際のしきい値が設定されるしきい値設定部と、これら画像読取部，画像処理部，画像出力部およびしきい値設定部を制御する制御部と、を備えている画像形成装置における二値化処理をコンピュータに実行させるための二値化処理プログラムであって、
上記原稿の少なくとも一部領域の多階調画像情報を調整用画像情報として表示部に表示する第一の手順と、
上記表示部の表示を参照して上記しきい値設定部により再設定されたしきい値に基づいて、上記調整用画像情報の階調濃度を徐々に薄くなるように変化させて、上記表示部に表示させる第二の手順と、
上記第二の手順を繰り返して、上記調整用画像情報におけるしきい値の基準となる位置が表示部の画面上で視認され得なくなったとき、上記しきい値設定部にてしきい値を決定する手順と、
その後、決定されたしきい値に基づいて、上記画像読取部からの画像情報を上記画像処理部にて二値化する手順と、
続いて、二値化された画像情報を上記画像出力部により出力する手順と、をコンピュータに実行させる
ことを特徴とする画像処理装置における二値化処理プログラム。
【発明の詳細な説明】
【技術分野】
【０００１】
本発明は、例えば原稿の画像を二値化処理して、モノクロ画像の送信，印刷等の処理を行なうファクシミリ装置，スキャナ装置，複合機等の画像処理装置と、その二値化処理プログラムに関する。
【背景技術】
【０００２】
従来、例えばファクシミリ装置においては、原稿の画像を取得する際、または取得後に、この原稿の画像を二値化して、コントラストを強調することにより、モノクロ画像として、送信を行なうようにしている。
これは、原稿の画像をハーフトーン処理すると、画像データが増大してしまうことから、二値化することにより、通信データを削減するようにしているためである。
【０００３】
そして、上述した二値化のためのしきい値は、そのレベル設定が重要である。しいき値の設定が適正に行なわれていない場合には、地色と文字を区別できずに、二値化した画像が全面真っ黒になってしまう可能性もある。
このような二値化のしきい値は、一般的には自動補正されるようになっており、ユーザはしきい値のレベル設定の操作を行なう必要なく、またこのようなしきい値を意識することなく、最適なコントラストで画像の二値化が行なわれ得るようになっている。
【０００４】
しかしながら、しきい値の補正のために利用される地色等によっては、その検出がうまくできず、ユーザが意図した二値化処理が行なわれ得ない場合もある。例えば、あらかじめ記入ガイドが薄く印刷されているような背景を備えた原稿の場合、その薄い記入ガイドを白として処理するか、黒として処理するかを、自動的に判定することは困難であり、上述した二値化のしきい値の自動補正には限界がある。
【０００５】
これに対して、特許文献１には、解像度による送信イメージをプレビューにより確認するようにしたファクシミリ機能を有する画像形成装置による情報処理システムが開示されている。
また、特許文献２には、原稿の画面から送信すべき領域をプレビューにより指定するようにしたファクシミリ装置が開示されている。
【０００６】
さらに、特許文献３には、原稿の画面上の指定領域の二値化イメージをプレビューし、ユーザ入力によりしきい値を調整するようにした、文書スキャナ用のユーザインタフェース方法が開示されている。
また、特許文献４には、原稿の多階調画面を二値化した画像をプレビューにより確認し、ユーザからの入力操作に基づいて、しきい値を変更した二値化画像を再びプレビューするようにした、ファクシミリ装置が開示されている。
【特許文献１】特開２００４−０５６６５８号
【特許文献２】特開２０００−１０１７５７号
【特許文献３】特開２０００−１１３１８１号
【特許文献４】特開平０６−２５３１５２号
【発明の開示】
【発明が解決しようとする課題】
【０００７】
しかしながら、上述した特許文献１および特許文献２においては、いずれもファクシミリ送信画面をプレビューするようにしているが、プレビューは、選択した解像度による送信イメージの確認、または選択した送信すべき領域による送信イメージの確認のためであり、二値化データの送信イメージの確認のためのものではない。
【０００８】
また、上述した特許文献３によるユーザインタフェース方法においては、ファクシミリ送信画面をプレビューするようにしているが、プレビューは、二値化した送信イメージの確認のためであり、具体的な二値化におけるしきい値の調整内容は開示されていない。
【０００９】
さらに、上述した特許文献４によるファクシミリ装置においては、６４階調で取り込んだファクシミリ送信画面を二値化してプレビューすると共に、しきい値を変更したとき、上述した６４階調のファクシミリ送信画面を再び二値化処理して、再プレビューするようになっており、二値化処理のための画像データ量が比較的多いことから、二値化処理のために要する時間が長くなるので、例えばしきい値を何回も微調整するような場合には、調整時間が長くなってしまう。
【００１０】
また、このような二値化処理におけるしきい値設定は、上述したファクシミリ装置だけでなく、スキャナ装置，プリンタや複合機においても生ずる。
【００１１】
本発明は、上記の問題を解決すべくなされたものであり、出力すべき原稿に関して最適なコントラストで二値化された画像情報を得るためのしきい値を設定するようにした、画像処理装置と、その二値化処理プログラムの提供を目的とする。
【課題を解決するための手段】
【００１２】
この目的を達成するため、本発明の請求項１記載の画像処理装置は、原稿の画像情報を生成する画像読取部と、この画像読取部により生成された上記画像情報を所定のしきい値により二値化する画像処理部と、この画像処理部により二値化された出力用画像情報の出力を行なう画像出力部と、二値化の際のしきい値が設定されるしきい値設定部と、これら画像読取部，画像処理部，画像出力部およびしきい値設定部を制御する制御部と、を備えている画像処理装置において、上記原稿の少なくとも一部領域の多階調画像情報を調整用画像情報として表示する表示部を備え、上記制御部が、上記表示部の表示を参照して上記しきい値設定部により再設定されたしきい値に基づいて、上記調整用画像情報の階調濃度を徐々に薄くなるように変化させて、上記表示部に表示させると共に、上記しきい値設定部によりしきい値が決定されたとき、そのしきい値に基づいて、上記画像情報を、上記画像処理部により二値化して、上記画像出力部により出力させる構成としてある。
【００１３】
画像処理装置をこのような構成とすると、画像出力部により画像情報の出力を行なう前に、しきい値設定部により設定したしきい値に基づいて、表示部に表示される調整用画像情報の階調濃度を徐々に薄くなるように変化させることにより、使用者は、しきい値設定部によりしきい値を変化させながら、表示部に表示される調整用画像情報を確認して、最適なコントラストを与えるしきい値を決定することができる。
そして、このように決定されたしきい値に基づいて、画像読取部により生成された画像情報が、画像処理部により二値化され、画像出力部により出力されることになる。
したがって、使用者が上記表示部に表示される設定されたしきい値に対応する階調濃度の画像情報を確認しながら、しきい値を微調整することができるので、従来の原稿の自動判定によるしきい値決定の場合と比較して、原稿に対するより最適なしきい値を決定することができる。また、最適なしきい値を決定するまでの間に、画像出力部により画像情報の出力を行なわないので、例えば出力のための用紙等が無駄に消費されてしまうようなことがなく、これにより例えばファクシミリ装置によって相手先のファクシミリ装置に対して真っ黒な画像を送信してしまうようなことがない。
【００１４】
また、請求項２記載の画像処理装置は、上記調整用画像情報が、上記画像読取部により生成された画像情報である構成としてある。
画像処理装置をこのような構成とすると、上記画像読取部により生成された画像情報を、調整用画像情報として利用することにより、原稿の画像情報読取が一回で済むことになる。
【００１５】
また、請求項３記載の画像処理装置は、さらに、上記原稿の少なくとも一部領域に関する多階調画像情報を生成する第二の画像読取部を備えており、上記調整用画像情報が、上記第二の画像読取部により生成された多階調画像情報である構成としてある。
画像処理装置をこのような構成とすると、別途設けられた第二の画像読取部により調整用の多階調画像情報を生成することによって、しきい値調整のために最適な画像情報を得ることができる。この場合、原稿の少なくとも一部領域の画像情報を得ることによって、しきい値設定のための調整用画像情報の容量を小さくすることができるので、この調整用画像情報の階調濃度の調整や表示部への表示における処理速度が向上することになる。
【００１６】
また、請求項４記載の画像処理装置は、上記第二の画像読取部が、ＣＣＤカメラである構成としてある。
画像処理装置をこのような構成とすると、調整用の多階調画像情報をＣＣＤカメラにより生成することにより、簡単な構成により、比較的低コストで調整用の多階調画像情報を生成することができる。
【００１７】
また、請求項５記載の画像処理装置は、上記第二の画像読取部により生成された多階調画像情報が、上記画像読取部により生成された画像情報より解像度が低い構成としてある。
画像処理装置をこのような構成とすると、第二の画像読取部により生成された多階調画像情報のしきい値に基づく階調濃度の調整や表示部への表示の処理速度が向上することになる。
【００１８】
また、請求項６記載の画像処理装置は、上記表示部が、画像処理装置の操作パネルに備えられていると共に、この操作パネルの操作部からの入力操作により上記しきい値設定部でのしきい値の設定が行なわれる構成としてある。
画像処理装置をこのような構成とすると、画像処理装置が、表示部および操作部を有する操作パネルを備えたファクシミリ装置，プリンタやスキャナ装置である場合に、その操作パネルを利用することにより、特に画像処理装置の構造を変更することなく、しきい値を最適に決定することができる。
【００１９】
また、請求項７記載の画像処理装置は、上記表示部が、画像処理装置と接続されたホストＰＣの表示部であって、このホストＰＣにおける入力操作により、上記しきい値設定部でのしきい値の設定が行なわれる構成としてある。
画像処理装置をこのような構成とすると、画像処理装置が、ホストＰＣと直接にあるいはネットワークを介して接続されている場合に、使用者は、画像処理装置の設置場所まで出向くことなく、自分のホストＰＣから最適なしきい値の決定を行なうことができる。
【００２０】
また、請求項８記載の画像処理装置は、上記しきい値設定部が、上記ホストＰＣ上で動作する画像処理装置用ドライバに組み込まれている構成としてある。
画像処理装置をこのような構成とすると、使用者は、自分の使用するホストＰＣに、特にしきい値調整用のソフトをインストールする必要なく、当該画像処理装置を使用するためのドライバをインストールするだけで、自分のホストＰＣから最適なしきい値の決定を行なうことができる。
【００２１】
また、請求項９記載の画像処理装置は、上記しきい値設定部にて、上記調整用画像情報におけるしきい値の基準となる位置が表示部の画面上で視認され得なくなったとき、しきい値が決定される構成としてある。
また、請求項１０記載の画像処理装置は、上記しきい値の基準となる位置が、原稿として使用される未記入用紙の地色部分である構成としてある。
画像処理装置をこのような構成とすると、上記しきい値の基準となる位置を、原稿の地色部分として、地色が視認され得なくなったときに、しきい値を決定することによって、このしきい値に基づいて二値化したとき、出力用の画像情報における地色部分に記載されまたは印字された文字，線画等を地色と明白に分けることができる。
【００２２】
また、請求項１１記載の画像処理装置は、上記しきい値の基準となる位置が、しきい値調整のための基準原稿の指定部分である構成としてある。
画像処理装置をこのような構成とすると、基準原稿を使用することにより、基準原稿の指定部分が表示部上に表示される画像情報にて視認され得なくなったときに、しきい値を決定することによって、最適なコントラストを与えるようなしきい値を決定することができる。
【００２３】
また、請求項１２記載の画像処理装置の二値化処理プログラムは、原稿の画像情報を生成する画像読取部と、この画像読取部により生成された上記画像情報を所定のしきい値により二値化する画像処理部と、この画像処理部により二値化された出力用画像情報の出力を行なう画像出力部と、二値化の際のしきい値が設定されるしきい値設定部と、これら画像読取部，画像処理部，画像出力部およびしきい値設定部を制御する制御部と、を備えている画像形成装置における二値化処理をコンピュータに実行させるための二値化処理プログラムであって、上記原稿の少なくとも一部領域の多階調画像情報を調整用画像情報として表示部に表示する第一の手順と、上記表示部の表示を参照して上記しきい値設定部により再設定されたしきい値に基づいて、上記調整用画像情報の階調濃度を徐々に薄くなるように変化させて、上記表示部に表示させる第二の手順と、上記第二の手順を繰り返して、上記調整用画像情報におけるしきい値の基準となる位置が表示部の画面上で視認され得なくなったとき、上記しきい値設定部にてしきい値を決定する手順と、その後、決定されたしきい値に基づいて、上記画像読取部からの画像情報を上記画像処理部にて二値化する手順と、続いて、二値化された画像情報を上記画像出力部により出力する手順と、をコンピュータに実行させる構成としてある。
このように、本発明は、プログラムとしても実現化することができる。
【発明の効果】
【００２４】
このようにして、本発明によれば、出力すべき原稿に関して最適なコントラストで二値化された画像情報を得るためのしきい値を設定することが可能になる。
【発明を実施するための最良の形態】
【００２５】
［第一実施形態］
以下、本発明を適用した画像処理装置としてのファクシミリ装置の第一の実施形態について、図１を参照して説明する。
図１は、本発明によるファクシミリ装置の第一の実施形態の構成を示している。
図１に示すように、ファクシミリ装置１０は、制御部１００，操作パネル２００，画像読取部３００，画像保持部４００，画像処理部５００，画像出力部６００，しきい値設定部７００および撮像手段８００から構成されている。
ここで、上記制御部１００，操作パネル２００，画像処理部５００，しきい値設定部７００は、それぞれコンピュータ上で動作するプログラムにより動作が制御されるようになっている。
【００２６】
上記制御部１００は、後述するように、操作パネル２００，画像読取部３００，画像保持部４００，画像処理部５００，画像出力部６００，しきい値設定部７００および撮像手段８００をそれぞれ制御するようになっている。
【００２７】
上記操作パネル２００は、例えば上記ファクシミリ装置１０の筐体上面に設けられており、入力部２１０と、表示部２２０と、を備えている。
この入力部２１０は、いわゆるテンキーを含む複数個の操作キー等の入力手段を備えており、画像出力（送信）に関する各種設定や、後述する二値化のしきい値の設定を行なうことができるようになっている。
また、表示部２２０は、入力部２１０による入力結果を表示したり、ファクシミリ装置１０の各種動作状態等の必要な項目を表示し、さらにしきい値設定の際に調整用画像情報を表示するようになっている。
【００２８】
上記画像読取部３００は、所謂スキャナであって、原稿を読み取って、画像情報１１０を生成し、画像保持部４００に送出して、保存するようになっている。
【００２９】
上記画像保持部４００は、例えばメモリや磁気記録装置等の補助記憶装置から構成されており、上記画像読取部３００で生成された画像情報１１０を読み書き可能に保存するようになっている。
【００３０】
上記画像処理部５００は、上記画像保持部４００に保存された画像情報１１０を読み出して、後述するようにしきい値設定部７００で設定された所定のしきい値７１０に基づいて、画像情報１１０を二値化して、出力用画像情報５１０として上記画像出力部６００に送出するようになっている。
【００３１】
上記画像出力部６００は、上記画像処理部５００で二値化された出力用画像情報５１０を出力、すなわち通信インタフェース（図示せず）を介して所定の送信先に送信するようになっている。
【００３２】
上記しきい値設定部７００は、上記画像処理部５００における画像情報１１０の二値化の際のしきい値７１０を設定して、上記画像処理部５００に出力するようになっている。
ここで、上記しきい値設定部７００は、上記操作パネル２００の入力部２１０でのユーザによる操作にしたがって、そのしきい値７１０を変更して、新たなしきい値７１０を設定するようになっている。
【００３３】
詳細には、上記しきい値設定部７００は、好ましくは原稿の画像情報１１０の送信の際に、最初は前もって決められた初期値であるしきい値７１０に設定されていると共に、上記操作パネル２００の入力部２１０からの操作信号に基づいて、徐々にしきい値７１０を高くするようになっている。
なお、上記初期値は、例えば未記入の原稿を上記画像読取部３００により読み取って、その画像情報１１０における濃度値（グレースケール値）の最大値として設定される。
そして、上記しきい値設定部７００は、操作パネル２００の入力部から「しきい値決定」の操作が行なわれたとき、決定されたしきい値を上記画像処理部５００に送出するようになっている。
【００３４】
また、上記しきい値設定部７００は、上述したしきい値７１０の初期値あるいは操作パネル２００の入力部２１０からの操作により変更された新たなしきい値７１０をその都度上記制御部１００に送出するようになっている。
【００３５】
上記撮像手段８００は、第二の画像読取部として、例えばＣＣＤカメラから構成されており、原稿の多階調画像情報８１０を生成して、上記制御部１００に送出するようになっている。
ここで、上記撮像手段８００により生成される調整用画像情報８１０は、しきい値７１０の設定のための調整用画像情報であるので、しきい値７１０の設定が可能である限り、原稿の全体画像である必要はなく、当該原稿の少なくとも一部分の画像情報であってもよい。
また、この調整用画像情報８１０は、しきい値７１０の設定のために、原稿の階調による濃度分布を判別することができればよいので、上記画像読取部３００と同じ解像度である必要はなく、より低い解像度であってもよい。
このため、上記撮像手段８００は、上記画像読取部３００と比較して、小型で低解像度のＣＣＤカメラで十分であり、低コストで済むことになる。
そして、上記撮像手段８００で形成された調整用の多階調画像情報８１０は、上記制御部１００に送出され、上記制御部１００によりしきい値に基づいて濃度調整された後、操作パネル２００に送出され、その表示部２２０の画面上に表示される。
【００３６】
このようにして、原稿の画像情報の送信の際には、上記制御部１００は、画像読取部３００で生成された原稿の画像情報１１０を送信する前に、上記撮像手段８００から送られてきた調整用多階調画像情報８１０を、しきい値設定部７００からのしきい値に基づいて階調濃度を調整し、操作パネル２００の表示部２２０に表示させる。この階調濃度の調整は、上記画像処理部５００における当該しきい値に基づいて二値化された出力用画像情報５１０に対応するように行なわれ、使用者が操作パネル２００の表示部２２０の画面上に表示される調整用多階調画像情報８１０を視認することによって、しきい値による階調部分の出力結果が確認され得るようになっている。
【００３７】
これにより、使用者は、操作パネル２００の表示部２２０に表示された調整用多階調画像情報８１０を見ながら、操作パネル２００の入力部２１０を操作して、しきい値を徐々に高くなるように変更する。これにより、上記しきい値設定部７００におけるしきい値が変更されて上記制御部１００に送出されるので、上記制御部１００は、この変更されたしきい値に基づいて、同様にして再び調整用多階調画像情報８１０の階調濃度を調整し、操作パネル２００の表示部２２０に表示させる。
【００３８】
そして、使用者は、操作パネル２００の表示部２２０に表示された調整用多階調画像情報８１０を見ながら、徐々にしきい値を高くしていき、原稿のしきい値として指定したい位置の表示を視認することができなくなったとき、所望のしきい値であるとして、操作パネル２００の入力部２１０から「しきい値決定」の操作を行なう。これは、原稿の画像情報において、しきい値がある値により高く設定されたとき、上記位置が二値化の際に白に分類され、視認され得なくなることによるものである。
【００３９】
具体的には、例えば図２（Ａ）に示すように、原稿の一部である入力ガイドとしての数字記入欄を含む調整用多階調画像情報８１０が、操作パネル２００の表示部２２０に拡大表示される。
この場合、上記数字記入欄を示す枠線が薄く印刷されており、好ましくは表示部２２０の画面上にて、例えばタッチペン２３０により上記枠線に触れることにより、タッチペン２３０で触れた位置における濃度（あるいはタッチペン２３０で指定した領域における最大濃度）が、グレースケール値２２１として画面右下に表示されるようになっている。
【００４０】
そして、このグレースケール値に基づいて、階調濃度が調整された調整用多階調画像情報８１０が、図２（Ｂ）に示すように、再び操作パネル２００の表示部２２０に表示される。
ここで、画像読取時の誤差等によって上記枠線部分の読取濃度にムラがあると、図２（Ｂ）に示すように、上記枠線の一部がゴミ２２２として残ることになる。この場合、操作パネル２００の入力部２１０により、あるいは表示部２２０の右下に表示される調整部２２３をタッチペンで触れることにより、前述したグレースケール値によるしきい値を微調整することができる。これにより、上記ゴミ２２２が消去され、所望の階調濃度に調整されることになる。
なお、しきい値の初期値が低すぎると、図２（Ｃ）に示すように、二値化の際に上記枠線が黒と判定されることになってしまう。
【００４１】
次に、本実施形態のファクシミリ装置１０の処理動作について、図３〜５を参照して説明する。
図３は、二値化処理および送信処理の動作を示すフローチャートである。
まず、ステップＡ１にて、使用者が、画像処理装置１０の原稿台（図示せず）に原稿をセットして、操作パネル２００の入力部２１０にて送信指令を行なうと、ステップＡ２にて、上記画像読取部３００が原稿の画像情報３１０を生成して、ステップＡ３にて、上記画像保持部４００に保存すると共に、ステップＡ４にて、上記制御部１００が撮像手段８００を制御することにより、ステップＡ５にて、撮像手段８００が、原稿の調整用多階調画像情報８１０を生成して、ステップＡ６にて、上記制御部１００に送出する。
【００４２】
これにより、上記制御部１００は、ステップＡ７にて、しきい値設定部７００からしきい値７１０の初期値を取得して、ステップＡ８にて、このしきい値（初期値）に基づいて上記多階調画像情報８１０の階調濃度を調整する。
続いて、上記制御部１００は、ステップＡ９にて、階調濃度を調整した多階調画像情報を操作パネル２００の表示部２２０に送出する。これにより、ステップＡ１０にて、この表示部２２０に、調整用の多階調画像情報が表示される。
そして、上記制御部１００は、ステップＡ１１にて、操作パネル２００からの入力操作を待つことになる。
【００４３】
ここで、使用者により、ステップＡ１２にて、上記操作パネル２００の入力部２１０にてしきい値変更の操作が行なわれると、上記しきい値設定部７００は、ステップＡ１３にて、この操作に基づいて、そのしきい値７１０を変更して、変更された新たなしきい値７１０を上記制御部１００に送出する。
これを受けて、上記制御部１００は、ステップＡ８に戻り、再びこの新たなしきい値７１０に基づいて、上記多階調画像情報８１０の階調濃度を調整し、ステップＡ９〜Ａ１１の動作を繰り返す。
【００４４】
そして、ステップＡ１１の状態から、上記操作パネル２００の表示部２２０の画面に表示される調整用の多階調画像情報８１０にて、しきい値として指定したい位置が視認され得なくなったときに、使用者により、ステップＡ１４にて、上記操作パネル２００の入力部２１０にて、しきい値決定の操作が行なわれると、上記しきい値設定部７００は、ステップＡ１５にて、そのときのしきい値７１０を上記画像処理部５００に出力する。
【００４５】
これにより、上記画像処理部５００は、ステップＡ１６にて、上記画像保持部４００から保存されている画像情報３１０を読み出して、ステップＡ１７にて、上記しきい値７１０に基づいて、この画像情報３１０を二値化し、出力用画像情報５１０を生成し、ステップＡ１８にて、この出力用画像情報５１０を上記画像出力部６００に送出する。
次に、ステップＡ１９にて、上記画像出力部６００が、この出力用画像情報５１０を通信インタフェースを介して外部に送信する。
以上で、二値化処理および送信処理が終了する。
【００４６】
図４は、しきい値設定処理の動作を示すフローチャートである。
図４にて、まずステップＢ１にて、プレビューのための画像読取として、一ページ分のスキャンか、原稿の一部のスキャンかが選択される。
ここで、ステップＢ１にて、一ページ分のスキャンが選択されると、ステップＢ２にて、撮像手段８００が原稿のうち選択された一ページ分を読み取って、調整用多階調画像情報８１０が生成される。
一方、ステップＢ１にて、原稿の一部のスキャンが選択されると、ステップＢ３にて、撮像手段８００が原稿の一部を撮像して、調整用多階調画像情報８１０が生成される。
そして、ステップＢ２またはステップＢ３で生成された調整用多階調画像情報８１０が、ステップＢ４にて、上記画像保持部４００に保存される。
続いて、ステップＢ５にて、この保存された画像情報８１０が操作パネル２００の表示部２２０に表示される。
【００４７】
ここで、ステップＢ６にて、使用者が操作パネル２００の表示部２２０に表示された画像に関して、例えば前述したタッチペンを利用して、しきい値としたい部分の点または領域を指定すると、指定部分が点の場合には、ステップＢ７にて指定された点の濃度すなわちグレースケール値がしきい値として設定される。
一方、指定部分が領域の場合には、ステップＢ８にて、指定された領域の最高濃度すなわち最大グレースケール値がしきい値として設定される。
これにより、ステップＢ９にて、設定されたしきい値により、上述した画像情報８１０が階調濃度調整され、ステップＢ１０にて、階調濃度調整された画像情報８１０が操作パネル２００の表示部２２０に表示される。
【００４８】
ここで、上記画像情報８１０が所望の階調濃度で表示されている場合には、ステップＢ１１にて、しきい値調整が完了する。
一方、ステップＢ１０にて、上記画像情報８１０が所望の階調濃度で表示されていない場合には、使用者の選択により、再びステップＢ５に戻って、図２（Ａ）に示すように、指定点または指定領域の設定が行なわれ、あるいはステップＢ１２にて、図２（Ｂ）に示すように、しきい値の微調整が行なわれ、微調整されたしきい値に基づいて、再び上記画像情報８１０の階調濃度調整が行なわれる。そして、ステップＢ１３にて、階調濃度調整された画像情報８１０が操作パネル２００の表示部２２０に表示される。
【００４９】
ここで、階調濃度調整された画像情報８１０が所望の階調濃度で表示されている場合には、同様に、ステップＢ１１にて、しきい値調整が完了する。
一方、ステップＢ１３にて、階調濃度調整された画像情報８１０が所望の階調濃度で表示されていない場合には、再びステップＢ１２に戻って、しきい値の微調整が行なわれ、微調整されたしきい値に基づいて、再び上記画像情報８１０の階調濃度調整が行なわれる。
なお、ステップＢ１１にて、しきい値調整が終了した後、ステップＢ１４にて、画像読取部３００が原稿の画像情報３１０を生成して、微調整されたしきい値に基づいて、二値化を行なって、出力用画像情報５１０を生成する。
以上で、しきい値調整処理が完了する。
【００５０】
図５は、しきい値の初期値設定処理の動作を示すフローチャートである。
図５において、まずステップＣ１にて、撮像手段８００が原稿を一ページ分読み取って、調整用多階調画像情報８１０を生成し、続いてステップＣ２にて、画像保持部４００に保存する。
次に、ステップＣ３にて、この画像情報８１０全体から濃度すなわちグレースケール値の最大値を検索して、このグレースケール値をしきい値の初期値として設定する。
そして、ステップＣ４にて、プレビューを行なうか行なわないかの選択が行なわれる。
【００５１】
上記ステップＣ４にて、プレビューを行なわないと選択された場合には、ステップＣ５にて、上記画像情報８１０が破棄されて、しきい値の初期値設定処理が終了される。
これに対して、プレビューを行なうと選択された場合には、ステップＣ６にて、設定されたしきい値の初期値に基づいて、上記画像情報８１０が階調濃度調整され、ステップＣ７にて、操作パネル２００の表示部２２０に表示される。
そして、階調濃度調整された画像情報３１０が所望の階調濃度で表示されている場合には、同様にステップＣ５に進み、上記画像情報８１０が破棄されて、しきい値の初期値設定処理が終了する。
一方、ステップＣ７にて、階調濃度調整された画像情報８１０が所望の階調濃度で表示されていない場合には、ステップＣ８にて、しきい値の微調整が行なわれ、微調整されたしきい値に基づいて、再び上記画像情報８１０の階調濃度調整が行なわれた後、再びステップＣ７に戻る。そして、階調濃度調整された画像情報３１０が所望の階調濃度で表示されるようになるまで、ステップＣ７及びステップＣ８が繰り返して行われる。
以上で、しきい値の初期値設定処理が完了する。
【００５２】
［第二実施形態］
図６は、本発明によるファクシミリ装置の第二の実施形態の構成を示している。
図６において、ファクシミリ装置２０は、図１に示したファクシミリ装置１０とほぼ同様の構成であるので、同じ構成要素には同じ符号を付して、詳細な説明を省略する。
図６に示すように、ファクシミリ装置２０は、制御部１００，操作パネル２００，画像読取部３００，画像保持部４００，画像処理部５００，画像出力部６００，撮像手段８００およびホストＰＣ９００から構成されている。
【００５３】
上記ホストＰＣ９００は、ファクシミリ装置２０の制御部１００と、直接に、あるいは例えば構内ＬＡＮ等のネットワークを介して接続されており、そのキーボードおよびマウス（図示せず）が、操作パネル２００の入力部２１０と同様に利用可能であると共に、そのディスプレイ９１０が、操作パネル２００の表示部２２０と同様に利用可能である。
さらに、上記ホストＰＣ９００は、ファクシミリ装置２０の制御を行なうためのドライバ（例えばＰＣＦＡＸドライバ）９２０がインストールされており、このドライバ９２０が、図１に示したファクシミリ装置１０におけるしきい値設定部７００としても機能するように構成されている。
【００５４】
このような構成のファクシミリ装置２０によれば、使用者がホストＰＣ９００のキーボードまたはマウスから送信指令をファクシミリ装置１０に送出すると、図１に示したファクシミリ装置１０と同様に作用すると共に、しきい値の設定の際に、撮像手段８００で作成された調整用多階調画像情報８１０が、ホストＰＣ９００のディスプレイ９１０の画面上に表示され、使用者は、この画面を見ながら、キーボードまたはマウスを操作することにより、しきい値の変更またはしきい値の決定を入力する。
そして、ホストＰＣ９００のドライバ９２０は、変更されまたは決定されたしきい値をファクシミリ装置２０の制御部１００に送出する。
【００５５】
これにより、上記制御部１００は、操作パネル２００の入力部２１０からの操作入力の代わりに、ホストＰＣ９００からの操作入力により、初期値または変更後のしきい値７１０を取得すると共に、決定されたしきい値を画像処理部５００に送出し、このしきい値７１０に基づいて画像情報３１０を二値化させ、出力用画像情報５１０を生成させることができる。
この場合、使用者は、画像情報５１０の二値化のためのしきい値の調整の際に、ファクシミリ装置２０の設置場所まで出向かなくても、自分のホストＰＣ９００のディスプレイに表示される調整用多階調画像情報８１０を視認し、キーボードまたはマウスを操作することにより、しきい値の変更または決定を行なうことができる。
【００５６】
以上、本発明の画像処理装置について、好ましい実施形態を示して説明したが、本発明にかかる画像処理装置は、上述した実施形態にのみ限定されるものではなく、本発明の範囲で種々の変更実施が可能であることはいうまでもない。
【００５７】
例えば、上述した実施形態においては、原稿として、送信すべき原稿を使用しているが、これに限らず、原稿に使用される未記入の用紙を原稿として使用するようにしてもよい。
この場合、未記入の用紙が地色を有している場合に、この地色を記入された文字，線画等と区別するように、地色を白と判別するようなしきい値が容易に設定され得ることになる。
同様に、当該ファクシミリ装置１０のための基準原稿がある場合には、この基準原稿をしきい値を設定するための原稿として使用してもよい。
また、ファクシミリ装置２０の場合には、送信すべき画像情報に関して、画像読取部３００により生成した画像情報３１０だけでなく、ホストＰＣ９００で作成した画像情報を制御部１００を介して送信するような場合も、同様にしきい値の設定を行なうことが可能である。
【００５８】
さらに、画像処理装置がファクシミリ装置の場合について説明したが、これに限らず、画像情報を二値化して印刷，表示，送信等の出力を行なうような、例えばＯＣＲ処理のためのスキャナ装置や、デジタルコピー装置や複合機等の他の種類の画像処理装置についても本発明を適用し得ることは明らかである。
【産業上の利用可能性】
【００５９】
本発明は、画像処理装置、例えばプリンタ，ファクシミリ装置，コピー機，スキャナ装置，複合装置等に利用可能である。
【図面の簡単な説明】
【００６０】
【図１】本発明を適用したファクシミリ装置の第一の実施形態の構成を示すブロック図である。
【図２】図1のファクシミリ装置におけるしきい値設定時の表示部の（Ａ）最初の多階調画像，（Ｂ）階調濃度調整後および（Ｃ）階調濃度調整が正しくない場合の二値化画像の例を示す図である。
【図３】図１のファクシミリ装置における二値化処理および送信処理の動作を示すフローチャートである。
【図４】図1のファクシミリ装置におけるしきい値設定処理の動作を示すフローチャートである。
【図５】図1のファクシミリ装置におけるしきい値の初期値設定処理の動作を示すフローチャートである。
【図６】本発明を適用したファクシミリ装置の第二の実施形態の構成を示すブロック図である。
【符号の説明】
【００６１】
１０，２０    ファクシミリ装置（画像処理装置）
１００    制御部
２００    操作パネル
２１０    入力部
２２０    表示部
３００    画像読取部
３１０    画像情報
４００    画像保持部
５００    画像処理部
５１０    出力用画像情報（二値化）
６００    画像出力部
７００    しきい値設定部
７１０    しきい値
８００    撮像手段
８１０    多階調画像情報
９００    ホストＰＣ
９１０    ディスプレイ（表示部）
９２０    ドライバ（しきい値設定部）
【図１】
2006345457.tif 000003
【図２】
2006345457.tif 000004
【図３】
2006345457.tif 000005
【図４】
2006345457.tif 000006
【図５】
2006345457.tif 000007
【図６】
2006345457.tif 000008